(57)【特許請求の範囲】
【請求項１】
茎稈を刈取る前処理部に、茎稈の穂側を掻き込む左右一対の穂側掻込み搬送体と、該穂側掻込み搬送体が掻込んだ茎稈を脱穀部まで搬送する扱深さ搬送体とを備えると共に、該扱深さ搬送体を、その搬送終端側を支点として回動させるコンバインにおいて、前記穂側掻込み搬送体の搬送部対向位置に、穂側掻込み搬送体との間で茎稈を挟持する掻込みガイドを配置し、該掻込みガイドおよび穂側掻込み搬送体を、前記扱深さ搬送体と一体的に回動させると共に、前記扱深さ搬送体と穂側掻込み搬送体との間に、茎稈搬送経路を跨ぐ掻込み伝動筒を介設すると共に、該掻込み伝動筒によって前記掻込みガイドを支持したことを特徴とするコンバイン。
【請求項２】
前記掻込みガイドに、茎稈の倒れを規制する板状の補助ガイド部材を設けたことを特徴とする請求項１記載のコンバイン。
【発明の詳細な説明】
【０００１】
【発明の属する技術分野】
本発明は、穂側掻込み搬送体を扱深さ搬送体と一体的に回動させるコンバインの技術分野に属するものである。
【０００２】
【従来の技術】
一般に、コンバインにおいては、茎稈を刈取る前処理部に、茎稈の穂側を掻き込む左右一対の穂側掻込み搬送体と、該穂側掻込み搬送体が掻込んだ茎稈を脱穀部まで搬送する扱深さ搬送体とを備える。扱深さ搬送体は、搬送始端側もしくは搬送終端側を支点として回動自在に構成されており、その回動に応じて脱穀部における茎稈の扱深さが調整される。
【０００３】
【発明が解決しようとする課題】
しかしながら、上記扱深さ搬送体を、その搬送終端側を支点として回動させるものでは、その回動によって扱深さ搬送体と穂側掻込み搬送体とが位置ずれし、搬送乱れや稈洩れが生じる可能性がある。そこで、穂側掻込み搬送体を、扱深さ搬送体と一体的に回動させることが提案されるが、この場合には、穂側掻込み搬送体との間で茎稈を挟持する掻込みガイドが穂側掻込み搬送体に対して位置ずれし、搬送乱れや稈洩れが生じる可能性がある。
【０００４】
【課題を解決するための手段】
本発明は、上記の如き実情に鑑みこれらの課題を解決することを目的として創作されたものであって、請求項１の発明は、茎稈を刈取る前処理部に、茎稈の穂側を掻き込む左右一対の穂側掻込み搬送体と、該穂側掻込み搬送体が掻込んだ茎稈を脱穀部まで搬送する扱深さ搬送体とを備えると共に、該扱深さ搬送体を、その搬送終端側を支点として回動させるコンバインにおいて、前記穂側掻込み搬送体の搬送部対向位置に、穂側掻込み搬送体との間で茎稈を挟持する掻込みガイドを配置し、該掻込みガイドおよび穂側掻込み搬送体を、前記扱深さ搬送体と一体的に回動させると共に、前記扱深さ搬送体と穂側掻込み搬送体との間に、茎稈搬送経路を跨ぐ掻込み伝動筒を介設すると共に、該掻込み伝動筒によって前記掻込みガイドを支持したことを特徴とするコンバインである。つまり、穂側掻込み搬送体を、扱深さ搬送体と一体的に回動させるものでありながら、穂側掻込み搬送体と掻込みガイドとの位置ずれを回避し、搬送乱れや稈洩れを防止することができる。しかも、掻込み伝動筒を利用して掻込みガイドを支持することにより、部品点数の削減や構造の簡略化が図れ、しかも、掻込み伝動筒は、茎稈搬送経路を跨ぐように設けられるため、搬送茎稈との間に適当なスペースを確保し、搬送乱れを防止することができる。
請求項２の発明は、前記掻込みガイドに、茎稈の倒れを規制する板状の補助ガイド部材を設けたことを特徴とする請求項１記載のコンバインである。この場合においては、茎稈の倒れに伴う搬送乱れや稈洩れを防止することができる。
【０００５】
【発明の実施の形態】
次に、本発明の実施の形態の一つを図面に基づいて説明する。図面において、１はコンバインの走行機体であって、該走行機体１の前部には、茎稈を刈取る前処理部２が昇降自在に連結されている。前処理部２が刈り取った茎稈は、走行機体１に搭載される脱穀部３まで搬送され、脱穀フィードチェン４に引き継がれる。脱穀フィードチェン４は、前処理部２から受け取った茎稈を脱穀部３に沿って搬送し、その搬送過程で脱穀部３による脱穀処理が行われる。
【０００６】
前処理部２は、未刈り茎稈を分草するデバイダ５と、茎稈を引き起す引起し装置６と、茎稈の株元部を刈取る刈刃装置７と、茎稈の穂側を掻き込む穂側掻込み搬送体８と、茎稈の株元側を掻き込む株元側掻込み搬送体９と、掻き込まれた茎稈の株元側を挟持搬送する株元搬送チェン１０と、上記穂側掻込み搬送体８（株元搬送チェン１０）の終端部で茎稈を受け取り、これを脱穀フィードチェン４の始端部まで搬送する扱深さ搬送体１１とを備えて構成される。
【０００７】
扱深さ搬送体１１は、穂側掻込み搬送体８の終端部から茎稈の穂側を受け取り、これを脱穀部３に向けて搬送する穂側搬送部（爪付きチェン）１２と、株元搬送チェン１０の終端部から茎稈の株元側を受け取り、これを脱穀部３に向けて搬送する株元側搬送部（フィードチェン）１３とを上下並列状に備える。穂側搬送部１２および株元側搬送部１３を支える扱深さ搬送フレーム１４は、その搬送終端側を支点として上下回動自在に支持されると共に、その回動位置が扱深さ調節アクチュエータ（図示せず）の駆動に基づいて調節される。これにより、株元側搬送部１３が茎稈の適正位置を挟持し、脱穀部３における茎稈の扱深さが最適化される。
【０００８】
本実施形態のコンバインは４条刈り仕様であり、図２に示すように、５つのデバイダ５によって４つの茎稈導入経路が形成される。茎稈導入経路の奥側に設けられる株元側掻込み搬送体９は、２つを１組として平面視ハの字状に配置されており、その搬送終端側では、４つの茎稈導入経路から導入される茎稈の株元側が２列に合流される。２列に合流された茎稈を引き継ぐ左右一対の株元搬送チェン１０も平面視ハの字状に配置されており、その搬送終端側では、茎稈の株元側が１列に合流され、扱深さ搬送体１１の株元側搬送部１３に引き継がれる。一方、茎稈の穂側は、左右一対の穂側掻込み搬送体８によって掻込み搬送される。左右一対の穂側掻込み搬送体８は、平面視ハの字状に配置されており、その搬送終端側では、茎稈の穂側が１列に合流され、扱深さ搬送体１１の穂側搬送部１２に引き継がれる。
【０００９】
左右の穂側掻込み搬送体８は、それぞれ爪付きチェン８ａを備え、該爪付きチェン８ａの駆動により茎稈の掻込み搬送を行う。右側の穂側掻込み搬送体８Ｒは、その後端部が扱深さ搬送体１１に一体的に連結され、扱深さ搬送体１１から直接伝動される動力によって駆動される。一方、左側の穂側掻込み搬送体８Ｌは、茎稈搬送経路を挟んで扱深さ搬送体１１の反対側に配置されることから、茎稈搬送経路を跨ぐ逆Ｕ字状の掻込み伝動筒１５を介して扱深さ搬送体１１の基端部に一体的に連結され、この掻込み伝動筒１５から伝動される動力によって駆動される。つまり、左右の穂側掻込み搬送体８Ｌ、８Ｒは、扱深さ搬送体１１に一体的に連結され、扱深さ搬送体１１と共に上下回動するように構成される。これにより、扱深さ調節に伴う扱深さ搬送体１１と穂側掻込み搬送体８Ｌ、８Ｒとの位置ずれが回避される。尚、１６は引起し装置６の裏面に突設される左右一対の穂側導入ガイドであり、引起し装置６間から導入された茎稈の穂側が、穂側導入ガイド１６によって穂側掻込み搬送体８Ｌ、８Ｒの始端部まで導かれる。
【００１０】
穂側掻込み搬送体８Ｌ、８Ｒの搬送部対向位置には、穂側掻込み搬送体８Ｌ、８Ｒとの間で茎稈を挟持する掻込みガイド１７が配置される。掻込みガイド１７は、左右の穂側掻込み搬送体８Ｌ、８Ｒに沿うべく、平面視への字状に曲折する線材によって形成されると共に、ガイド支持部材１８を介して扱深さ搬送体１１側に一体的に支持される。これにより、掻込みガイド１７および穂側掻込み搬送体８Ｌ、８Ｒが、扱深さ搬送体１１と共に一体的に回動することになって、掻込みガイド１７と穂側掻込み搬送体８Ｌ、８Ｒとの位置ずれが回避される。
【００１１】
ガイド支持部材１８は、その上端部が掻込み伝動筒１５の中間部（穂側掻込み搬送体８Ｌ、８Ｒの合流部上方位置）に一体的に支持され、その下端部で掻込みガイド１７が一体的に支持される。本実施形態のガイド支持部材１８は、掻込み伝動筒１５の中間部から一側方に延出し、ここから側面視くの字状に曲折しながら掻込みガイド１７の位置に至るように形成される。これにより、ガイド支持部材１８の左右両側に茎稈搬送経路（穂側掻込み経路）が確保される許りでなく、茎稈搬送経路の上方に十分なスペースが確保され、ガイド支持部材１８に対する穂先部の引っ掛かりが防止される。
【００１２】
掻込みガイド１７には、茎稈の倒れを規制する第一の補助ガイド部材１９が設けられている。第一補助ガイド部材１９は、掻込みガイド１７に沿う板状のものであり、掻込みガイド１７から垂下するように設けられる。これにより、線材で形成された掻込みガイド１７によって茎稈の穂側を挟持ガイドしつつ、第一補助ガイド部材１９によって茎稈の倒れを防止でき、その結果、遅れ穂等の短稈が倒れて搬送乱れや稈洩れが生じる不都合が回避される。
【００１３】
さらに、第一補助ガイド部材１９の終端部には、第二の補助ガイド部材２０が設けられている。第二補助ガイド部材２０は、可撓性を有する棒状の部材であって、第一補助ガイド部材１９の終端部から前記穂側搬送部１２の始端部前方位置に向けて延出される。つまり、穂側搬送部１２の始端部（爪旋回領域）においては、送り爪１２ａが茎稈を前方に掃き出す可能性があるが、この掃き出しが第二補助ガイド部材２０によって規制される。また、第二補助ガイド部材２０の先端側は、穂側搬送部１２の爪軌跡下方にオーバーラップする一方、掻込みガイド１７の中間部は、穂側搬送部１２の爪軌跡上方にオーバーラップしている。これにより、穂側搬送部１２の始端部まで掻込み搬送された茎稈の穂側は、図３に示すように、掻込みガイド１７および第二補助ガイド部材２０の掃き出し規制作用を受けつつ、その間で送り爪１２ａの送り作用を受けることになる。これにより、穂側搬送部１２の始端部において茎稈が掃き出される不都合が確実に回避される許りでなく、短稈の倒れも防止することが可能になる。
【００１４】
叙述の如く構成されたものにおいて、茎稈を刈取る前処理部２に、茎稈の穂側を掻き込む左右一対の穂側掻込み搬送体８Ｌ、８Ｒと、該穂側掻込み搬送体８Ｌ、８Ｒが掻込んだ茎稈を脱穀部３まで搬送する扱深さ搬送体１１とを備えると共に、該扱深さ搬送体１１を、その搬送終端側を支点として回動させるコンバインにおいて、前記穂側掻込み搬送体８Ｌ、８Ｒの搬送部対向位置に、穂側掻込み搬送体８Ｌ、８Ｒとの間で茎稈を挟持する掻込みガイド１７を配置すると共に、該掻込みガイド１７および穂側掻込み搬送体８Ｌ、８Ｒを、前記扱深さ搬送体１１と一体的に回動させるため、穂側掻込み搬送体８Ｌ、８Ｒを、扱深さ搬送体１１と一体的に回動させるものでありながら、穂側掻込み搬送体８Ｌ、８Ｒと掻込みガイド１７との位置ずれを回避し、搬送乱れや稈洩れを防止することができる。
【００１５】
また、前記扱深さ搬送体１１と穂側掻込み搬送体８Ｌ、８Ｒとの間に、茎稈搬送経路を跨ぐ掻込み伝動筒１５を介設すると共に、該掻込み伝動筒１５によって前記掻込みガイド１７を支持したため、掻込み伝動筒１５を利用して掻込みガイド１７を支持することにより、部品点数の削減や構造の簡略化が図れ、しかも、掻込み伝動筒１５は、茎稈搬送経路を跨ぐように設けられるため、搬送茎稈との間に適当なスペースを確保し、搬送乱れを防止することができる。
【００１６】
また、前記掻込みガイド１７に、茎稈の倒れを規制する板状の第一補助ガイド部材１９を設けたため、茎稈の倒れに伴う搬送乱れや稈洩れを防止することができる。
【図面の簡単な説明】
【図１】前処理部の側面図である。
【図２】前処理部の要部平面図である。
【図３】掻込みガイドおよび第二補助ガイド部材の作用を示す要部側面図である。
【符号の説明】
１    走行機体
２    前処理部
３    脱穀部
４    脱穀フィードチェン
５    デバイダ
６    引起し装置
７    刈刃装置
８    穂側掻込み搬送体
９    株元側掻込み搬送体
１０  株元搬送チェン
１１  扱深さ搬送体
１５  掻込み伝動筒
１７  掻込みガイド
１８  ガイド支持部材
１９  第一補助ガイド部材
２０  第二補助ガイド部材
【図１】
0004036662.tif 000002
【図２】
0004036662.tif 000003
【図３】
0004036662.tif 000004